(57)【特許請求の範囲】
【請求項１】
両端側に第１、第２山形部を有して一体的に成形された金属シート部材であって、複数の金属シート部材のそれぞれの第１山形部と第２山形部を嵌合しつつ屋根基盤材上に葺設する金属折板屋根の構造であり、
第１山形部を下部位置に配置させ、その上面から他の金属シート部材の第２山形部が嵌着され、
第１山形部は、一側面側に第１曲がり部を有するとともにこの第１曲がり部に一体に接続された山形の山形頂部近傍には第１凹溝を備え、
第２山形部は、前記第１曲がり部に係着する内向きフック状の終端を有する第２曲がり部と、この第２曲がり部に接続された山形の山形頂部近傍に前記第１凹溝に嵌着する第２凹溝と、この第２凹溝に接続され第２曲がり部に対向するようにかつ前記第１曲がり部と対称状に形成配置された第３曲がり部と、を有し、
第１山形部を下部位置に配置させた上面から他の金属シート部材の第２山形部を嵌着させた状態で、少なくとも、第１山形部の第１曲がり部と第１凹溝部分と、はそれぞれ第２山形部の第２曲がり部と第２凹溝部分とに外内面で重合しており、
第１山形部は、第１凹溝近傍から垂下状に立ち下がり一体に形成され下端側が屋根基盤材上に延設されて当接し屋根基盤材に固定される横部を含み、
横部の固定を介して第１山形部を屋根基盤材へ固定させ、該第１山形部上に他の金属シート部材の第２山形部を嵌着する工程を順次行うことにより葺設することを特徴とする金属折板屋根構造。
【請求項２】
第１山形部は、第１凹溝近傍から垂下状かつ直線状に立ち下がり下端が屋根基盤材上に延設された縦部と、この縦部に接続され屋根基盤材上に密着当接しつつ該縦部に略Ｌ字状に連設された横部と、を備えてなる請求項１記載の金属折板屋根構造。
【請求項３】
第１山形部の縦部と第２山型部の第３曲がり部間には第１山形部の縦部に隣接しかつ横部の上面側に配置され該横部とともに屋根基盤材にボルト固定可能に設けられた基板部と、
この基板部に支持され上面側に嵌合される第２山形部の第３曲がり部に係合しつつ第２山形部の浮き上がりを防止する押え部と、を備えた押え部材が設けられてなる請求項１又は２記載の金属折板屋根構造。
【請求項４】
押え部材は第１山形部の縦部に密着当接する縦壁部を備えてなる請求項３記載の金属折板屋根構造。
【請求項５】
請求項３又は４記載の金属折板屋根の押え部材。
【請求項６】
請求項１ないし４のいずれかに記載の金属折板屋根構造に用いられる金属シート部材。
【発明の詳細な説明】
【０００１】
【産業上の利用分野】
本発明は、金属折板により屋根葺きを行う際の同金属折板の屋根構造に関する。
【０００２】
【発明の属する技術分野】
近年、建造物の屋根面においては、金属シート部材に山形部を屈曲形成させた金属折板で葺設した金属折板屋根が、材料が安価で、施工量も軽減できるために普及している。この金属折板を屋根面に葺設するには、建物の屋根面の流れ方向と交差する方向にリップ溝形鋼やＨ型鋼等の鉄骨部材を屋根基盤材として枠組みし、支持フレームを所定間隔毎に屋根基盤材上にボルト等により固定して、その支持フレーム上に金属折板の両端部に山形部を形成した金属折板同士を嵌合させながら葺設していた。しかしながら、上記の金属折板においては、金属折板の左右いずれかの端部を支持フレーム上面にボルト固定せねばならず、２０ないし３０メートルもの高所における多数のボルト締め付け作業が煩雑で作業性が劣るとともに、金属折板の両端部を嵌着させて山形部を形成した場合においては毛細管現象により山形頂部より雨などの水分が侵入し、ボルト孔の穿孔作業により傷つけられた部分から金属折板がさびついて早期に老朽化し易いという問題があった。そこでこれらの問題を解決すべく出願人は、実願昭３ー１１３０３号において提案した。
【０００３】
【発明が解決しようとする課題】
この構造においては、図８及び図９に示すように、金属折板を敷設する前に、まず、屋根基盤材１０２上に可動型支持フレーム１０４を等間隔にボルト等で固定する作業が必要であった。このため支持フレーム部材のコストがかかり、また、支持フレームを取りつけるための作業時間が掛かることから施工期間も長期となり、施工費用もかさむものとなっていた。このため更に簡略化された折板屋根構造の出現が望まれていた。
【０００４】
本発明は上記従来の課題に鑑みてなされたものであり、その一つの目的は、支持フレームを必要とすることなく部材費用を低減し施工費用を削減し得る金属折板屋根構造を提供することである。また本発明の他の目的は、高所での作業時間が短く大幅な施工期間の短縮が図れる金属折板屋根構造を提供することである。  また、本発明の他の目的は、金属折板屋根を葺設するときに、溶接作業を不要とし火気厳禁の場所でも安全に施工し得る金属折板屋根構造を提供することである。更に、本発明の他の目的は、施工時の金属折板上部からの押し圧に強くしかも建物内部から吹き上げる風圧に対して大きな強度を備えた金属折板屋根構造を提供することである。
【０００５】
【課題を解決するための手段】
上記目的を達成するために本発明は、両端側に第１、第２山形部１２、１４を有して一体的に成形された金属シート部材であって、複数の金属シート部材１６のそれぞれの第１山形部１２と第２山形部１４を嵌合しつつ屋根基盤材１８上に葺設する金属折板屋根の構造であり、第１山形部１２を下部位置に配置させ、その上面から他の金属シート部材の第２山形部１４が嵌着され、第１山形部１２は、一側面側に第１曲がり部２０を有するとともにこの第１曲がり部２０に一体に接続された山形の山形頂部近傍には第１凹溝２２を備え、第２山形部１４は、前記第１曲がり部２０に係着する内向きフック状の終端２４を有する第２曲がり部２６と、この第２曲がり部２６に接続された山形の山形頂部近傍に前記第１凹溝２２に嵌着する第２凹溝２８と、この第２凹溝２８に接続され第２曲がり部２６に対向するようにかつ前記第１曲がり部２０と対称状に形成配置された第３曲がり部３０とを有し、第１山形部を下部位置に配置させた上面から他の金属シート部材の第２山形部を嵌着させた状態で、少なくとも、第１山形部の第１曲がり部と第１凹溝部分と、はそれぞれ第２山形部の第２曲がり部と第２凹溝部分とに外内面で重合しており、第１山形部１２は、第１凹溝２２近傍から垂下状に立ち下がり一体に形成され下端側が屋根基盤材１８上に延設されて当接し屋根基盤材１８に固定される横部３４を含み、横部の固定を介して第１山形部１２を屋根基盤材へ固定させ、該第１山形部上に他の金属シート部材の第２山形部１４を嵌着する工程を順次行うことにより葺設することを特徴とする金属折板屋根構造から構成される。
【０００６】
また、第１山形部１２は、第１凹溝２２近傍から垂下状かつ直線状に立ち下がり下端が屋根基盤材上に延設された縦部３２と、この縦部に接続され屋根基盤材上に密着当接しつつ該縦部３２に略Ｌ字状に連設された横部３４と、を備えてなるとよい。
【０００７】
また、第１山形部１２の縦部３２と第２山型部１４の第３曲がり部３０間には第１山形部１２の縦部３２に隣接しかつ横部３４の上面側に配置され、該横部３４とともに屋根基盤材１８にボルト固定可能に設けられた基板部３６と、この基板部３６に支持され、上面側に嵌合される第２山形部１４の第３曲がり部３０に係合しつつ第２山形部１４の浮き上がりを防止する押え部３８を備えた押え部材４０が設けられていてもよい。
【０００８】
また、押え部材４０は第１山形部１２の縦部３２に密着当接する縦壁部４２を備えていてもよい。
【０００９】
また、本発明は、請求項３又は４記載の金属折板屋根の押さえ部材４０から構成される。
【００１０】
また、本発明は、請求項１又は２記載の金属折板屋根構造に用いられる金属シート部材から構成される。
【００１１】
【実施例及び発明の実施の形態】
以下、添付図面に基づき、本発明の好適な実施例について説明する。図１ないし図４は、本発明の金属折板屋根構造の第１実施例を示しており、図において、金属折板屋根構造は、両端側に第１、第２山形部１２、１４を有する複数の金属シート部材１６のそれぞれの第１山形部１２と第２山形部１４を嵌合しつつ屋根基盤材１８上に葺設する金属折板屋根構造に係るものであり、一つの金属シート部材１６の第１山形部１２を下部位置に配置させ、その上面から他の金属シート部材の第２山形部１４が嵌着されて構成される。屋根基盤材１８は、例えば、リップ溝形鋼やＨ型鋼等の鉄骨部材が用いられ、地盤に基礎を設置させ、これに支持させてその上に数メートルの高さに縦横に組み付けて固定し配置されている。
【００１２】
図２に示すように、屋根基盤材１８上に載置される一つの金属シート部材１６は、平坦部４４を備えており、両端側に第１山形部１２と第２山形部１４を折曲して形成させている。本実施例では、金属シート部材１６は、例えば厚さ０．４ミリメートル程度の薄金属板を素材とした金属薄板の両端側を曲げ形成機で一体的に折曲し、第１、第２山形部１２、１４を形成させている。同金属シート部材１６は、ある程度薄くて可撓性を有するため板バネ状に作用させることができる。この金属シート部材１６は、図１に見られるように、正面視から後方に長く延設され所要長さに形成させている。
【００１３】
図２において、第２山形部１４は、金属シート部材１６の平坦部４４を挟んで第１山形部１２と対向して配置されている。この第２山形部１４は、後述する第１山形部の第１曲がり部に係着する第２曲がり部２６と第１山形部の第１凹溝に嵌着する第２凹溝２８と第３曲がり部３０を備えている。前述のようにこの第１、第２山形部１２、１４は、一枚の金属シート部材１６を曲げ形成機で曲げて全体として半円状に膨出して形成され、第２山形部１４の第２曲がり部２６と第２凹溝２８と第３曲がり部３０は一体的に連続して形成されている。第２曲がり部２６は、第２山形部１４の正面視右端側に設けられ、第２山形部１４の内部へ平坦部４４と平行に内向きに曲がるフック状の終端２４を有している。そしてこの終端２４から上方に半円状の山形の外側に膨出した円弧を形成するように山形の頂部に向かって弓なりに湾曲して立ち上がり第２凹溝２８へ接続される。第２凹溝２８は、山形の山形頂部近傍に設けられている。本実施例では、第２凹溝２８は、山形頂部の中央位置に設けられ凹溝は幅の狭いＵ字状に形成されている。この第２凹溝は、後述する他の金属シート部材１６の第１山形部１２の第１凹溝に嵌着する。
【００１４】
第３曲がり部３０は、この第２凹溝２８に接続され、第２凹溝２８を中央にして、第２曲がり部２６の対向他端側に設けられ、半円状の山形を形成する。即ち、第３曲がり部３０は、第２曲がり部２６に対向するように略対称な形状でかつ対称な位置に形成配置され大きく蛇行状に曲がって設けられている。図において、この第３曲がり部３０は、半円状の山形の外側に膨出した円弧を形成するように第２凹溝２８から斜め下方向に垂下され、その垂下端部から大きく蛇行状に曲がる逆Ｕ字曲がり部３１を有している。そして、垂下端部と逆Ｕ字曲がり部３１との接続部分が終端２４に対応する位置に形成される。また平坦部４４の一端側から一段上がった第２段上がり部２７が設けられており、この第２段上がり部２７から平坦部４４と平行に連設され、その他端側が逆Ｕ字曲がり部３１に連設して設けられている。
【００１５】
次に、この金属シート部材１６の左端側には、第２山形部１４に接続して第１山形部１２が設けられている。この第１山形部１２は、第１曲がり部２０と第１曲がり部２０に接続された第１凹溝２２を有し連続して一体的に形成されている。この第１曲がり部２０は、一側面側即ち、図２上、第１山形部１２の右側に大きく蛇行状に曲がって形成されており、第２山形部１４の第３曲がり部３０と平坦部４４を挟んで略対称な位置に、対称な形状で設けられている。第１曲がり部２０は、金属シート部材１６の平坦部４４の一端左方側から一段上がった第１段上がり部２１から平坦部４４と平行に接続してＵ字状に曲がりながら山形円部の頂部に向かって湾曲して立ち上げられ第１山形部１２の一部を構成している。この第１曲がり部２０の外面側に、第２山形部１４の第２曲がり部２６が係着する。そして第２曲がり部２６のフック状の終端２４が外側から係着する。そして、第１山形部１２の外方向に膨出した半円状の山形の円弧部は第２山形部１４の円弧部よりやや小さめに形成されている。そして金属シート部材１６同士を重合するときはこの第１曲がり部２０に第２山形部１４の第２曲がり部２６が係合することにより金属折板屋根が葺設されていく。
【００１６】
第１凹溝２２は、山形の山形頂部近傍に設けられている。本実施例においては、第１凹溝２２は、山形頂部の中央位置に設けられ凹溝は比較的浅い深さで幅広のＵ字状に形成されている。図４に示すように、他の金属シート部材１６の第２山形部１４が当該金属シート部材１６の第１山形部１２に上方から押しつけ状に嵌着する際に、第１凹溝２２は、第２山形部１４の第２凹溝２８と重なり合った状態に嵌着する。すなわち、金属シート部材同士を係合させるときは、第１山形部１２の第１曲がり部２０に他の金属シート部材１６の第２山形部１４の第２曲がり部２６が係合しかつ第１凹溝２２に第２凹溝２８が上面側から嵌着することになる。
【００１７】
本発明において、一つの特徴的なことは、第１山形部１２は、第１凹溝２２近傍から垂下状かつ直線状に立ち下がり下端が屋根基盤材１８上に延設された縦部３２と、この縦部３２に接続され屋根基盤材１８上に密着当接しつつ該縦部３２に略Ｌ字状に連設された横部３４とを備えていることである。実施例において、第１山形部１２は、第１山形部１２の山形頂部の中央位置にある第１凹溝２２から立ち下がった縦部３２と縦部３２に連設された横部３４を備えている。図４において、金属シート部材１６の一部として一体的に設けられた縦部３２は、第１凹溝２２近傍から垂下状かつ直線状に立ち下がり、下端は、屋根基盤材１８上まで延設されている。横部３４は、縦部３２に略Ｌ字状に連設され、下面は屋根基盤材１８上に密着当接している。正面視横部３４の左端部は上面側に屈曲しフック部３５を形成している。縦部３２と略Ｌ字状に連設された横部３４は、平坦部４４と同一面に設けられて、この横部３４が屋根基盤材１８にボルト等で固定される。横部３４を屋根基盤材１８に固定することにより、一つの金属シート部材１６の山形部が他の金属シート部材の山形部に嵌着され、一方、第１山形部１２は屋根基盤材１８上に固定されるから、第１山形部１２と第２山形部１４を重合させて金属シート部材１６を屋根基盤材１８に葺設した場合に、建物内部から吹き上げる風圧に対して充分な強度を保持する。また、金属折板屋根を葺設する際、一つの金属シート部材１６の第１山形部１２に他の金属シート部材１６の第２山形部１４を嵌着させるが、このときに縦部３２が屋根基盤材に対し垂下状かつ直線状に設けられていることから、例えば縦部３２を肉厚にしたりまた縦部３２
に高強度の部材を用いることにより、金属シート部材１６同士を重合させたときに上部からの押圧力に対する縦部の横方向へのたわみとなる座屈を防止することが可能となる。実施例では横部３４は平面状としたが、ボルト等が挿通できかつ屋根基盤材に密着可能な部分を有すればよく平面状に限らず台形状、楕円状等にしてもよい。
【００１８】
次に、金属シート部材１６を屋根基盤材１８上に敷設する場合について説明する。本実施例では、敷設に際して断面Ｃ形状の溝型鋼からなる屋根基盤材１８上に屋根面の傾斜の高所から低所方向を長手方向としてまず一つの金属シート部材１６を載置する。その金属シート部材１６の両端側には第１、第２山形部が設けられており、この一つの金属シート部材１６の第１山形部１２に他の金属シート部材１６の第２山形部１４を嵌着させ、これを連続的に行うことにより金属折板屋根が連接形成される。図３に示すように、一つの金属シート部材１６の第１山形部１２の横部３４を屋根基盤材１８上に密着当接させ、ボルト等により横部３４と屋根基盤材１８を締結固定する。この施工により金属シート部材１６は強固に屋根基盤材１８に固定され、建物内部からの風圧に対し充分な強度を保つことができる。
【００１９】
詳細には、屋根基盤材１８に固定された一つの第１山形部１２に他の第２山形部１４を嵌着させ金属シート部材１６を連設させていく場合は、図３、図４に示すように、一つの金属シート部材１６ａの第１山形部１２の第１曲がり部２０に他の金属シート部材１６ｂの第２曲がり部２６に設けられた内向きフック状の終端２４を係合させる。終端２４は内向きのフック状であるから第１曲がり部２０のＵ字状の曲がり部分になめらかに挿入されて係合する。また、第１山形部１２は第２山形部１４よりやや小さめの半円状の山形の円弧部であることから双方の山形部を重合させても無理なく重ね合わせることができる。
【００２０】
次に、金属シート部材１６ａの第１曲がり部２０に金属シート部材１６ｂの第２曲がり部２６を密着係止させた状態で、金属シート部材１６ｂを図示の矢視反時計方向に回動させ平坦部４４を屋根基盤材１８上に密着させる。以上の施工を反復させることで金属シート部材１６を屋根基盤材１８上に連設させていく。金属シート部材１６は第１山形部１２に一体的に折曲形成された縦部３２を有することより、一つの金属シート部材１６を他の金属シート部材１６に嵌着させたときに、上面からの押圧力に対する縦部３２の横方向へのたわみとなる座屈をある程度防止できるとともに、横部３４が屋根基盤材１８に固定されているので、建物内部から吹き上げる風圧に対しても充分な強度を保持することが可能である。また、第１山形部１２の第１凹溝２２に第２山形部１４の第２凹溝２８が重合し載置されるため、降雨時等に第１曲がり部２０と第２曲がり部２６の接触部から水分が侵入してきたとしても、山形の凸の外形形状のところに位置する第１凹溝２２のＵ字状溝部に水分が流れ込んでとまり、金属シート部材１６の横部３４の固定部分に水分が付着しボルトの締結部等や屋根基盤材１８を錆びさせることがない。また、水分は、第１凹溝２２のＵ字状溝部を通り屋根の長手方向の傾斜に沿って外部に流れ、建物内部への水分の侵入を防止することもできる。上記のごとく本発明による金属折板屋根構造は支持フレームを必要とすることなく屋根面へ金属シート部材を葺設でき、支持フレームの材料費を削減できかつ施工費用の大幅な低減が可能となる。また、支持フレームの取り付け作業が不要になり高所での作業時間が短く施工期間の短縮が図れる。
【００２１】
次に、図５ないし図７に基づき本発明に係る第２実施例について説明するが、第１実施例と同一部材には同一符号を付し、その詳細な説明は省略する。第２実施例では、第１実施例と同様の構成であるが、本実施例においては、図６に示すように、第１山形部１２の縦部３２と第２山形部１４の第３曲がり部３０の間に押え部材４０を設けてある。この押え部材４０は、基板部３６と押え部３８を備えている。図７に示すように、基板部３６は、第１山形部１２の縦部３２に隣接しかつ横部３４の上面側に配置され、横部３４とともに屋根基盤材１８にボルト固定可能に設けられている。また、この基板部３６には、縦壁部４２を介して押え部３８が接続されており、この押え部３８は、基板部３６に支持されて、上面側に嵌合される他の金属シート部材１６の第２山形部１４の第３曲がり部３０に係合しつつ第２山形部１４の浮き上がりを防止する。
【００２２】
本実施例において、押え部材４０は、厚さ略２ミリメートル程度の金属板を一体的に折り曲げて形成されており、図７に示すように、基板部３６は、中央部にボルト等を挿通させるための係止孔４６を有する平面状の略長方形となっている。この基板部３６に連接して基板部３６の長辺端から直角Ｌ字状に上方に側壁を立ち上げて平面状の縦壁部４２を設けている。この縦壁部４２の上端から斜め下方に円弧状に湾曲して押え部３８が設けられている。この押え部３８は、側面略コ字状に基板部３６の他の長辺端側の上部位置近傍まで延設されている。押え部３８の中央部分にはボルト等を挿通させるための挿通孔５０が設けられる。一方、押え部３８の先端は下向きにカールしてフック４８となっている。実施例において、基板部３６の底面が屋根基盤材１８上に密着当接するとともに、第１山形部１２の横部３４のフック部３５に基板部３６が係合しかつ縦壁部４２が第１山形部１２の縦部３２側面側に密着当接するように設けられている。この状態で図７のボルト４３を屋根基盤材１８に下方に向けて一体的に縫い刺し状にボルト固定することによって、建物内部での下からの風圧に対する吹き上がりに対して金属シート部材１６を屋根基盤材１８上に強固に支持できるとともに、縦壁３２を押え部材４０の縦壁部４２により側面から補強することによって、金属シート部材１６を屋根へ敷設するときの上からの押し圧力に対する支持補強を行う。特に、金属シート部材１６の屋根基盤材１８への固定支持及び上下部からの圧力に対する補強を確実に行える。
【００２３】
次に、金属シート部材を屋根基盤材へ敷設する場合について説明する。敷設に際しては、屋根基盤材１８上に屋根面の傾斜の高所から低所方向を長手方向としてまず一つの金属シート部材１６を載置する。その金属シート部材１６の両端側には第１、第２山形部を備えており、第１山形部１２に第２山形部１４が嵌着することを反復することにより金属折板屋根が連接形成される。図７に示すように、本実施例では、屋根基盤材１８に木片セメント等の断熱材５２を挿設して金属シート部材１６が載置される。断熱材５２は予め屋根基盤材１６に接着しておいて一体的に形成していてもよい。この金属シート部材１６の第１山形部１２の横部３４に、押え部材４０を重合させかつ縦部３２に密着して接触させ金属シート部材１６と押え部材４０を固定するための位置合わせをする。次に、押え部３８の挿通孔５０から例えばドリルビス等を基板部３６の係止孔４６に挿通して押え部材４０と金属シート部材１６の横部３４を屋根基盤材１８に締結固定する。この施工をすることにより金属シート部材１６は押え部材４０と共に強固に屋根基盤材１８に固定され、建物内部から吹き上げる強い風圧が生じても互いに離間し不具合を起こすことはない。
【００２４】
次に、屋根基盤材１８に押え部材４０で固定された一つの第１山形部１２に他の第２山形部１４を嵌着させ金属シート部材１６を連設させていく場合は、図５及び図６に示すように、一つの金属シート部材１６ａの第１山形部１２の第１曲がり部２０に他の金属シート部材１６ｂの第２曲がり部２６に設けられた内向きフック状の終端２４を係合させる。終端２４は内向きのフック状であるから第１曲がり部２０に滑らかに挿入されて係合する。この場合、当金属シート部材１６の第１山形部１２を有する平坦部４４は屋根基盤材１８から大きく離間した状態に位置することになる。
【００２５】
次に、金属シート部材１６ａを、金属シート部材１６ａの第１曲がり部２０に金属シート部材１６ｂの第２曲がり部２６を密着係止させた状態で、図示の矢視反時計方向に回動させる。金属シート部材が回動されることで金属シート部材１６ｂの第３曲がり部３０が押え部材４０の押え部３８のフック４８に板バネ状に係止し相互の金属シート部材１６を重合させた金属折板屋根構造を得ることができる。
【００２６】
金属シート部材の山形部は、金属折板自体が薄くて可撓性を有するため板バネ状に嵌着でき、かつ、金属シート部材１６の第１山形部１２の第１曲がり部２０に第２山形部１４の第２曲がり部２６が係合しまた、押え部材４０の押え部３８に第２山形部１４の第３曲がり部３０が係合されて、確実に両金属シート部材を連結することになる。例えば、建物内部から吹き上げる風圧がある場合には、金属シート部材１６の第２山形部１４に風圧がかかり上方に持ち上げられようとするが、押え部材４０の押え部３８が第２山形部１４の第３曲がり部３０に板バネ状に係合しているから、第２山形部１４を屋根基盤材１８から離間させることなく押え込んでおり、屋根面にかかる下からの風圧に対し金属シート部材１６を屋根基盤材１８に確実に保持させることができる。また、屋根面への上部からの押圧力の場合には、押え部材４０の縦壁部４２が第２山形部１４の縦部３２の側面側を支持しているから、上部からの押圧力に対しても、屋根面の補強を確実に行うことができる。
【００２７】
以上のように、本発明による金属折板屋根構造においては支持フレームを使用する必要がないため、材料費の低減が図れ、施工作業も短期にできる。なお金属シート部材の厚みは実施例に限らず、上記作用を得ることのできる任意の厚みの金属シート部材を用いてもよい。また、実施例では、屋根基盤材に断熱材を挿設した構成としたが状況により使用しなくても構わない。更に、実施例では一つの金属シート部材の両端側に第１、第２山形部を構成した場合を説明しているが、本発明に係る金属折板屋根構造は、金属シート部材の平坦部に同一の山形部構造を一枚の金属を折曲させて複数形成させた金属シート部材の場合も少なくとも両端側に上記第１、第２山形部を形成する限り含まれるものである。
【００２８】
【発明の効果】
以上説明したように、本発明の金属折板屋根構造によれば、両端側に第１、第２山形部を有する複数の金属シート部材のそれぞれの第１山形部と第２山形部を嵌合しつつ屋根基盤材上に葺設する金属折板屋根の構造であって、第１山形部を下部位置に配置させ、その上面から第２山形部が嵌着され、第１山形部は、一側面側に大きく蛇行状に曲がる第１曲がり部を有するとともにこの第１曲がり部に接続された山形の山形頂部近傍には第１凹溝を備え、第２山形部は、前記第１曲がり部に係着する内向きフック状の終端を有する第２曲がり部と、この第２曲がり部に接続された山形の山形頂部近傍に前記第１凹溝に嵌着する第２凹溝と、この第２凹溝に接続され第２曲がり部に対向するようにかつ前記第１曲がり部と対称状に形成配置され大きく蛇行状に曲がる第３曲がり部と、を有し、第１山形部は、第１凹溝近傍から垂下状かつ直線状に立ち下がり下端が屋根基盤材上に延設された縦部と、この縦部に接続され屋根基盤材上に密着当接しつつ該縦部に略Ｌ字状に連設された横部とを備えているので、金属シート部材同士の重合時に上方からの押圧力に対する縦部の横方向へのたわみとなる座屈を効果的に防止することができる。また、金属シート部材を屋根に葺設する際に支持フレームを必要とすることなく金属折板屋根を葺設することができ、支持フレームの材料費を軽減することができる。また、高所での作業時間が短く大幅な施工期間の短縮が図れ施工費用の低減をすることができる。また、高所作業による危険性も回避できる。また、金属シート部材はボルトで締結できるため溶接作業しない場合は火気厳禁の場所でも安全に作業をすることが出来る。
【００２９】
また、第１山形部の縦部と第２山型部の第３曲がり部間には第１山形部の縦部に隣接しかつ横部の上面側に配置され、該横部とともに屋根基盤材にボルト固定可能に設けられた基板部と、この基板部に支持され、上面側に嵌合される第２山形部の第３曲がり部に係合しつつ第２山形部の浮き上がりを防止する押え部を備えた押え部材が設けられているので、金属シートを屋根基盤材に強固に固定することができ、支持フレーム不要としつつ、金属折板屋根を葺設することができる。特に、金属シート部材の屋根基盤材に対する接合力及び金属シート部材への下方からの風圧に対する強度を大きなものとすることができ、建物内部から吹き上げる強い風圧に対しても充分な耐久性を有する。
【００３０】
また、押え部材は第１山形部の縦部に密着当接する縦壁部を備えているので、金属シート部材を屋根基盤材に強固に保持しかつ金属シート部材の上部から押し圧するときの補強を行うから金属シート部材の縦部を変形させずに金属シート部材同士を嵌合させることができる。
【００３１】
また、金属折板屋根の押え部材においては両端側に第１、第２山形部を有する複数の金属シート部材のそれぞれの第１山形部と第２山形部を嵌合しつつ屋根基盤材上に葺設する金属折板屋根の構造において、第１山形部は、その山形頂部近傍から直線状に立ち下がり下端が屋根基盤材上に延設された縦部と、この縦部に接続され屋根基盤材上に密着当接しつつ該縦部に略Ｌ字状に連設された横部と、を一体的に形成して構成され、第１山形部の横部の上面側に配置されて該横部とともに屋根基盤材にボルト固定可能に設けられ、他の金属シート部材の第２山形部に係合して第２山形部の浮き上がりを防止する押え部を備えてなる金属折板屋根の押え部材であるから金属シート部材の一端側を自立形として屋根支持用のフレームを不要とした山形部の屋根基盤材への固定を強固に行なえ、同時に他の金属シート部材の第２山形部を押え部により押え保持するから上面から載着される他の金属シート部材の山形部との重合状態を確実に保持し、かつ、山形形状を確実に支持させることができ、よって、下面側からの風圧への耐久力及び上面からの押圧力に対しての強度の補強を確実に行なうことが可能である。
【００３２】
また、金属折板屋根の押え部材であって第１山形部の縦部に密着当接する縦壁部を備えることにより、下面側に配置される第１山形部の縦部を補強し、よって、重合する山形部全体の強度を確実に補強して下面側や上面側からの風圧、あるいは押圧力に対して強固な金属シート部材一体型の山形部構造を支持させることが可能である。
【図面の簡単な説明】
【図１】  本発明の金属折板根構造に係る金属シート部材の一部省略斜視図である。
【図２】  本発明の金属折板根構造に係る金属シート部材の正面図である。
【図３】  本発明の金属折板屋根構造の第１実施例に係る金属シート部材を互いに係合させる状態を示す一部省略断面図である。
【図４】  本発明の金属折板屋根構造の第１実施例に係る金属シート部材を互いに係合させた状態を示す一部省略断面図である。
【図５】  本発明の金属折板屋根構造の第２施例に係る金属シート部材を互いに係合させる状態を示す一部省略断面図である。
【図６】  本発明の金属折板屋根構造の第２施例に係る金属シート部材を互いに係合させた状態を示す一部省略断面図である。
【図７】  本発明の金属折板屋根構造の第２実施例に係る金属シート部材を押え部材で固定した状態を示す一部省略斜視図である。
【図８】  従来の金属折板屋根構造を示す一部省略断面図である。
【図９】  従来の金属折板屋根構造を示す説明図である。
【符号の説明】
１０  金属折板屋根構造
１２  第１山形部
１４  第２山形部
１６  金属シート部材
１８  屋根基盤材
２０  第１曲がり部
２２  第１凹溝
２４  終端
２６  第２曲がり部
２８  第２凹溝
３０  第３曲がり部
３２  縦部
３４  横部
３６  基板部
３８  押え部
４０  押え部材
４２  縦壁部
【図１】
0003826250.tif 000002
【図２】
0003826250.tif 000003
【図３】
0003826250.tif 000004
【図４】
0003826250.tif 000005
【図５】
0003826250.tif 000006
【図６】
0003826250.tif 000007
【図７】
0003826250.tif 000008
【図８】
0003826250.tif 000009
【図９】
0003826250.tif 000010